(57)【特許請求の範囲】
【請求項１】
線材を折り曲げて作られた４つの弓形が連結された部分の一方が土台に向かって展開され、その反対の部分の途中で線材の展開が止まっている終着点の弓形部位から手袋を横から被せるように装着可能であり、線材が土台から上に向かって展開する途中、最初の折り曲り部分から弓形が展開され、ここが親指を模した部位となり、そのまま途切れず線材は展開され折り曲げて作られた４つの弓形が連結された部分につながることなり、ここが人差し指から小指を模した部位となっている手袋乾燥スタンド。
【請求項２】
線材が土台から上へ向かって展開するにあたって、最初の折り曲り部分の手前で、手袋乾燥スタンドの全体の高さを手動で調節するための装置を有する請求項１に記載の手袋乾燥スタンド。
【発明の詳細な説明】
【技術分野】
【０００１】
手袋を乾燥させるためのスタンドに関する。対象の手袋として、キッチンで使用するゴム手袋、子供用の小さな手袋、手首の細い皮の手袋、日除け用の腕の部分が長い手袋、スキー用の大きくて厚手の手袋等、様々な形状、大きさの手袋の乾燥に用いることができるスタンドに関する。
【背景技術】
【０００２】
キッチンで毎日使用するゴム手袋は、使用を重ねると、湿気から内側にカビが生じ、異臭が生じるため、衛生を保つために内側を乾燥させる必要がある。ゴム手袋全体を洗浄した場合にも、洗浄後に内側を完全に乾かす必要がある。
【０００３】
従来より、洗浄後のゴム手袋を乾燥させるためのスタンドは存在するが、様々な大きさの手袋を乾かすことのできるスタンドは見当たらない。また、キッチン用のゴム手袋のみならず、子供用の小さな手袋、手首の細い皮の手袋、日除け用の腕の部分が長い手袋、スキー用の大きくて厚手の手袋等、様々な形状、大きさの手袋に対応できるものは見当たらない。
【０００４】
また、従来のスタンドはデザイン性が優れず、非使用時に装飾品として価値のあるものは見当たらない。
【０００５】
また、飲食店等、業務用には、頻繁に手軽に乾燥させるために壁掛け式／折りたたみ式のスタンドが便利であるが、そのようなスタンドも見当たらない。
【発明の概要】
【発明が解決しようとする課題】
【０００６】
手袋の内側を乾燥させるためのスタンドであって、様々な大きさの手袋を乾かすことのできるスタンドを提供することを課題とする。
【０００７】
また、デザイン性が優れ、非使用時に装飾品として使用できるスタンドを提供することを課題とする。
【０００８】
また、飲食店等、業務用には、頻繁に手軽に乾燥させるために壁掛け式／折りたたみ式のスタンドを提供することを課題とする。
【課題を解決するための手段】
【０００９】
線材を折り曲げて作られた４つの弓形が連結された部分の一方が土台に向かって展開され、その反対の部分の途中で線材の展開が止まっている終着点の弓形部位から手袋を横から被せるように装着可能であり、線材が土台から上に向かって展開する途中、最初の折り曲り部分から弓形が展開され、ここが親指を模した部位となり、そのまま途切れず線材は展開され折り曲げて作られた４つの弓形が連結された部分につながることなり、ここが人差し指から小指を模した部位となっている手袋乾燥スタンドによって課題を解決する。
【００１０】
また、線材が土台から上へ向かって展開するにあたって、最初の折り曲り部分の手前で、手袋乾燥スタンドの全体の高さを手動で調節するための装置を有する手袋乾燥スタンドによって課題を解決する。
【発明の効果】
【００１１】
手袋の内側を乾燥させるためのスタンドであって、様々な大きさの手袋を乾かすことができ、デザイン性が優れ、非使用時に装飾品として使用でき、また、飲食店等業務用に、頻繁に手軽に乾燥させることができる。
【図面の簡単な説明】
【００１２】
【図１】実施例１に係るスタンドを示す。
【図２】実施例１に係るスタンドを示す。
【図３】実施例１に係るスタンドを示す。
【図４】実施例２に係るスタンドを示す。
【図５】実施例３に係るスタンドを示す。
【実施例１】
【００１３】
図１から図３に、実施例１に係るスタンドを示す。図１に、スタンドの詳細を示す。右側の手袋用スタンドと左側の手袋用スタンドの配置に関し、図２に、（ａ）、（ｂ）、（ｃ）、（ｄ）の４通り示す。
【００１４】
図３に示すスタンドでは、手袋の親指の位置が図１と左右対称であるスタンドに関し、右側の手袋用スタンドと左側の手袋用スタンドの配置の異なるものを（ａ）、（ｂ）、（ｃ）、（ｄ）の４通り示す。
【００１５】
スタンド１は、右手用スタンド３及び左手用スタンド２よりなる。右手用スタンド３及び左手用スタンド２は、それぞれ底部にＬ字型枠（１０ａと１０ｂで示す枠、及び１１ａと１１ｂで示す枠）を備える。また、右手用スタンド３及び左手用スタンド２は、それぞれＬ字型枠から上方に向けて立ち上がる立ち上がり支柱（８、９）を備え、立ち上がり支柱を構成するワイヤがそのまま折り曲げられて、親指用山（６、７）、四本指用山（４、５）を構成している。右手用スタンド３及び左手用スタンド２は、ぞれぞれ、一本のステンレスが折り曲げられて構成されており、個々に全体が繋がっている。
【００１６】
右手用スタンド３と左手用スタンド２は別体でなる。立ち上がり支柱（８、９）には、高さ調節部位（１１、１２）が設けられている。高さ調節は３７ｃｍから２７ｃｍまで可能である。高さ調節部位（１１、１２）はハート形の装飾カバーによって装飾されている。
【００１７】
最も流通するサイズでは、各部位の寸法は下記の通りであるが、当然のことながら、本願と同様の機能を備える限り、発明の技術的範囲はこのサイズのものに限られない。
【００１８】
スタンド全体の高さ：３７ｃｍ
ワイヤの太さ：直径０．３ｃｍ
指用山の長さ：４ｃｍ
親指用山の根元の上側と人差し指用山の根元の距離：２ｃｍ
親指用山の長さ：６ｃｍ
Ｌ字型底辺枠の太さ：１．１ｃｍ
Ｌ字型底辺枠の一辺の長さ：１８ｃｍ
Ｌ字型底辺枠から立ち上がり支柱の下端までの距離：４ｃｍ
右手用と左手用の二つのスタンドを図１に示すとおりに配置した場合の、右手の小指用の山と左の小指用の山の距離：空間２．８ｃｍ
頂部から高さ調節部位までの距離：１７ｃｍ
【００１９】
実施例１に示すスタンドでは、例えば手首部分が小さな手袋でも、小指用山から覆うように横へ被せることにより装着できる。ゴム手袋だけでなく、様々なタイプの手袋が装着できる。日除け手袋等、腕の部分が長いものでは、立ち上がり支柱を長くする等により、最大高さが５０ｃｍまで調節可能である。
【００２０】
スタンドは図２及び図３に示す通りに配置することができる。
【実施例２】
【００２１】
実施例２では、非使用時に装飾品として利用できるよう、デザイン性をよくしてある。
【００２２】
図４に示す通り、土台２９から、上方に向け、右方と左方の双方に、立ち上がり支柱（２７、２８）が備えられ、さらに上方には、右方と左方の双方に、親指用山（２５、２６）が備えてあり、さらに上方には四本指用山（２３、２４）が備えてある。立ち上がり支柱（２７、２８）には、高さ調節部位（３０）が備えてある。高さ調節部位（３０）には装飾が施されている。親指用山及び四本指用山の先端には珠状の装飾が施されている。
【００２３】
最も流通するサイズでは、各部位の寸法は下記の通りであるが、当然のことながら、本願と同様の機能を備える限り、発明の技術的範囲はこのサイズのものに限られない。
【００２４】
スタンド全体の高さ：２７ｃｍ〜３７ｃｍ（調節可能）
スタンド全体の横幅：１３ｃｍ
支柱の太さ：直径０．５ｃｍ
右手用立ち上がり支柱と左手用立ち上がり支柱の間隔：７ｃｍ
珠部分の直径１．１ｃｍ
右手の小指用の山と左の小指用の山の距離：空間３ｃｍ
親指用山の長さ：６ｃｍ
四本指用山の隣の山との距離：２ｃｍ
土台の高さ：１．２ｃｍ
土台の横幅：２．５ｃｍ
【００２５】
実施例２に示すスタンドは、デザイン的に優れているため、非使用時に装飾品として機能する。
【実施例３】
【００２６】
実施例３は、壁掛け用のスタンドである。飲食店等、業務用には、頻繁に手軽に乾燥させるために壁掛け式／折りたたみ式のスタンドが便利であるので、これに対応するものである。
【００２７】
図３に示すスタンドと同様のスタンドにおけるＬ字型枠に代えて、底部が基部支柱（４９、５０）となっており、基部支柱の末端が、固定金具（５１、５２）によって壁に取り付けてある。スタンドは、左、右、個々に丈夫なステンレス一本でつながっている。
【００２８】
最も流通するサイズでは、各部位の寸法は下記の通りであるが、当然のことながら、本願と同様の機能を備える限り、発明の技術的範囲はこのサイズのものに限られない。
【００２９】
スタンド全体の高さ：３５ｃｍ〜５０ｃｍ（調節可能）
上から高さ調節部位までの距離：１７ｃｍ〜１５ｃｍ
基部支柱の長さ：壁から手前に１７ｃｍ
四本指用の山の長さ：４ｃｍ
ワイヤの直径（手形部分）：０．５ｃｍ
ワイヤの直径（高さ調節部位よりも下方）：０．８ｃｍ
４本指用山の直径：１ｃｍ
親指用山の直径：２ｃｍ
親指と人差し指の根元の間隔：２ｃｍ
【符号の説明】
【００３０】
１  スタンド
２  左手用スタンド
３  右手用スタンド
４  左手四本指用山
５  右手四本指用山
６  左手親指用山
７  右手親指用山
８  左手用立ち上がり支柱
９  右手用立ち上がり支柱
１０ａ、１０ｂ  Ｌ字型枠
１１ａ、１１ｂ  Ｌ字型枠
２０  スタンド
２１  右手用スタンド
２２  左手用スタンド
２３  右手四本指用山
２４  左手四本指用山
２５  右手親指用山
２６  左手親指用山
２７  右手用立ち上がり支柱
２８  左手用立ち上がり支柱
２９  土台
３０  高さ調節部位
４１  右手用スタンド
４２  左手用スタンド
４３  右手四本指用山
４４  左手四本指用山
４５  右手親指用山
４６  左手親指用山
４７  右手用立ち上がり支柱
４８  左手用立ち上がり支柱
４９  右手用基部支柱
５０  左手用基部支柱
５１  固定金具
５２  固定金具
【図１】
0005540178.tif 000002
【図２】
0005540178.tif 000003
【図３】
0005540178.tif 000004
【図４】
0005540178.tif 000005
【図５】
0005540178.tif 000006